(57)【要約】【課題】  本発明は利用者自身の操作により録画された番組を容易に把握できるような録画再生装置を提供するものである。【解決手段】  携帯端末装置２０により録画予約が行われるＤＶＤコーダ１０において、記録予約が行われた番組の情報をメモリ１４に記憶しておき、記憶している番組の記録が完了したことを検出する検出機能（ＳＴ５）と、この検出手段により番組の記録が完了したことが検出された場合に番組の記録完了を携帯端末装置に通知する通知機能（ＳＴ７）と、携帯端末装置２０からの指示に基づいて記録が完了した番組を再生する再生機能（ＳＴ１５）を有する。【選択図】      図３
2006186719.tif 000002
【特許請求の範囲】
【請求項１】
携帯端末装置により録画予約が行われる録画再生装置において、
記録予約が行われた番組の情報を記憶しておく記憶手段と、
この記憶手段にて記憶している番組の記録が完了したことを検出する検出手段と、
この検出手段により番組の記録が完了したことが検出された場合に番組の記録完了を携帯端末装置に通知する通知手段と、
携帯端末装置からの指示に基づいて記録が完了した番組を再生する再生手段を有することを特徴とする録画再生装置。
【請求項２】
前記通知手段は記録が完了した番組のタイトル、録画日時、録画時間、ジャンル、番組内容などの情報を携帯端末装置転送することを特徴とする請求項１に記載の録画再生装置。
【請求項３】
前記記憶手段は予約が行われた番組の記録が完了したか否かを示す第一の情報と前記通知手段による通知が完了したか否かを示す第二の情報を記憶していることを特徴とする請求項１に記載の録画再生装置。
【請求項４】
前記第一の情報と第二の情報に基づき記録が完了した番組で携帯端末装置への記録完了通知が成されていないものがあった場合、前記通知手段は当該番組の記録完了通知を携帯端末装置に対して行うことを特徴とする請求項３に記載の録画再生装置。
【請求項５】
携帯端末装置により録画予約が行われる録画再生装置において、
記録予約が行われた番組の情報を記憶しておく記憶手段と、
この記憶手段にて記憶している番組の記録が完了したことを検出する検出手段と、
この検出手段により番組の記録が完了したことが検出された場合に番組の記録完了を携帯端末装置に通知する通知手段と、
携帯端末装置からの指示に基づいて記録が完了した番組を再生する再生手段を有する録画再生装置本体と、
記録完了通知により受領した情報に基づいて生成指示情報を生成して録画再生装置本体に再生を指示する携帯端末装置とからなることを特徴とする録画再生装置。
【発明の詳細な説明】
【技術分野】
【０００１】
本発明は光ディスクやＨＤＤ等の記録媒体に対して、番組情報を記録再生する録画再生装置に関するものである。
【背景技術】
【０００２】
ＤＶＤレコーダはハードディスクが大容量化してきており、録画できる時間も大幅に増えたためホームサーバとしての役割もになうようになってきている。
ホームサーバ化に伴い録画予約方法も特定のチャンネル、日時、番組名の指定に限らず、ＥＰＧを使用したアーティスト名、スポーツ競技名、映画、出演者名などのキーワード指定により自動的に数多くの番組を録画するようになってきているため、本人ですらいつ何の番組を録画予約したのか把握する事が難しくなってくる。
【０００３】
更に複数の人がキーワード指定により録画をした場合には、いつ、誰が、何の番組を予約したのかを正確に把握できなくなり、録画したものの中から希望の番組を探し出して再生するための操作が難しくなってきている。
【０００４】
このようなＤＶＤレコーダの操作は主としてリモコンにより成されているが、携帯電話などの身近な携帯端末装置を用いて録画再生装置を制御させることが要望されており、例えば、特開２００４−２３５７７２号公報に示されるように、携帯電話を利用して放送番組を選択して録画を行うシステムにおいて、ユーザーごとにパスワードとＩＤを登録しておくことで、個人を特定しながら番組の録画を行えるようにしたものも考案されている。
【０００５】
しかしながら、特開２００４−２３５７７２号公報に示されるものは携帯電話を用いて誰が録画予約したものであるのかを管理できるようにはなっているが、録画した後に、いつ、誰が、何の番組を予約して録画したのかを正確に把握できなくなり、録画したものの中から希望の番組を探し出して再生するための操作は、相変わらず煩雑なものとなってしまうという問題があった。
【特許文献１】特開２００４−２３５７７２号公報（段落番号００２３、図１）
【発明の開示】
【発明が解決しようとする課題】
【０００６】
本発明は上述したような状況に基づきなされたものであり、利用者自身の操作に基づいて録画された番組を利用者自身に容易に把握できるようにし、特定の番組の再生操作も簡単に行えるようにしようとするものである。
【課題を解決するための手段】
【０００７】
本発明は上記課題を解決するために、携帯端末装置により録画予約が行われる録画再生装置において、記録予約が行われた番組の情報を記憶しておく記憶手段と、この記憶手段にて記憶している番組の記録が完了したことを検出する検出手段と、この検出手段により番組の記録が完了したことが検出された場合に番組の記録完了を携帯端末装置に通知する通知手段と、携帯端末装置からの指示に基づいて記録が完了した番組を再生する再生手段を有することを特徴とするものである。
【発明の効果】
【０００８】
本発明によれば、番組の記録が完了した都度、利用者の携帯端末装置に対して番組の記録完了が通知されるため、利用者自身の操作に基づいて録画された番組を利用者自身に容易に把握でき、又、この記録完了通知を用いて特定の番組の再生操作も簡単に行うことが可能となる。
【発明を実施するための最良の形態】
【０００９】
以下、本発明の実施の形態について図面を参照して説明する。
図１は録画再生システムの構成を示すブロック図であり、録画再生システムは録画再生装置としてのＤＶＤレコーダ１０と携帯電話として利用される携帯端末装置２０により構成される。
【００１０】
ＤＶＤレコーダ１０にはリモコン・キー回路１１と、ＥＰＧ機能制御回路１２とが設けられており、リモコン・キー回路１１はユーザーによるキー操作、若しくは、リモコン操作を受付けて、マイクロコンピュータ１３に操作情報を入力する。ＥＰＧ機能制御回路１２はユーザー操作に基づいてマイクロコンピュータ１３により制御されてＥＰＧ情報を取得したり、ＥＰＧ情報に基づいた録画予約の処理を行う。
【００１１】
マイクロコンピュータ１３には不揮発性のメモリ１４が内蔵されていて、処理に必要なユーザー情報が記憶されている。ＤＶＤレコーダ１０にはＢｌｕｅｔｏｏｔｈモジュール１５が設けられており、携帯端末装置２０との無線通信が可能となっている。ＤＶＤレコーダ１０のマイクロコンピュータ１３とＢｌｕｅｔｏｏｔｈモジュール１５とのインターフェイスは、ＵＡＲＴ制御によっておこなわれる。
【００１２】
一方、携帯端末装置２０にはキー回路２１とディスプレイ２２が設けられており、マイクロコンピュータ２３がキー回路２１からのユーザー入力に基づき処理を行い、その結果をディスプレイ２２に表示する。又、携帯端末装置２０にはＢｌｕｅｔｏｏｔｈモジュール２４が設けられており、ＤＶＤレコーダ１０との無線通信が可能となっている。
【００１３】
上記のマイクロコンピュータ１３の不揮発性のメモリ１５には、携帯端末装置２０のプロファイルＡＶＲＣＰが記憶されており、プロファイル内のベンダ依存領域に制御ＩＤ領域及び番組情報領域が設けられており、制御ＩＤ領域には各人が所有する携帯端末装置２０やパソコンなど（Ｂｌｕｅｔｏｏｔｈモジュールを搭載）ごとの制御ＩＤを記憶し、番組情報領域には録画予約された番組タイトル名、録画日時、録画時間、ジャンル、番組内容などの情報を制御ＩＤに対応させて記憶している。
【００１４】
従って、各人が所有する携帯端末（携帯電話やパソコンなどＢｌｕｅｔｏｏｔｈモジュールを搭載）ごとに制御ＩＤを設定して相互制御する事で、制御ＩＤごとに録画予約を管理して録画が完了した時にＤＶＤレコーダから指定された制御ＩＤの携帯端末対しに、番組タイトル名、録画日時、録画時間、ジャンル、番組内容などの情報を転送する機能（録画完了番組通知機能）により、いつ何の番組を録画予約したのか把握する事を可能となる。
【００１５】
次に、上記録画再生システムの動作手順を図３のフローチャートに基づき説明する。
まず、ＡＣ電源が投入されると、ＤＶＤレコーダ１０のマイクロコンピュータ１３は初期設定をおこなう。その後、リモコン、キー回路１１よりデータを読み取り、ユーザー操作による動作移行があるかどうかを周期的にチェックする（ＳＴ１）。
【００１６】
ＥＰＧ機能制御回路１２は、予め設定された時間をチェックしており（ＳＴ２）、現在時刻が設定された時間になるとＥＰＧデータ取得処理をおこなう（ＳＴ３）。
Ｂｌｕｅｔｏｏｔｈモジュール１４は、外部の携帯端末装置２０のＢｌｕｅｔｏｏｔｈモジュール２４とＡＶＲＣＰプロファイルで通信を定期的に行い各コマンドの送受信要求をチェックしており、ＤＶＤレコーダ１０のマイクロコンピュータ１３は、不揮発性メモリ１５の番組情報領域を参照して、まず録画予約されている番組があるか否かをチェックする（ＳＴ４）。録画予約されている番組が無い場合には携帯端末装置２０への通知処理は不要であり、録画予約されている番組があった場合には次に録画済み番組があるか否かをチェックする（ＳＴ５）。そして、マイクロコンピュータ１３は録画済み番組について携帯端末への通知処理が済んでいるかどうかをチェックする（ＳＴ６）。
【００１７】
携帯端末への通知処理が済んでいない場合には通知する必要があり、録画完了通知処理に移行する。録画完了通知処理では、ＤＶＤレコーダ１０のマイクロコンピュータ１３はＵＡＲＴによりＢｌｕｅｔｏｏｔｈモジュール１５を制御して、携帯端末装置２０に録画終了コマンドを送信してコマンド応答を待つ（ＳＴ７）。録画終了コマンドは図４の（Ａ）に示すように、制御コマンド（録画完了送信）、レングス、ベンダＩＤ、ベンダ依存データ等により構成される。尚、ベンダ依存データは、制御ＩＤ、番組情報（番組タイトル名、録画日時、録画時間、ジャンル、番組内容など）である。
【００１８】
携帯端末装置２０は録画完了通知を正しく受信できた場合には、マイクロコンピュータ２３はＢｌｕｅｔｏｏｔｈモジュール２４を制御してＤＶＤレコーダ１０にコマンド応答を送信する。コマンド応答は図４の（Ｂ）に示すように、制御コマンド（録画完了応答）、レングス、ベンダＩＤ、ベンダ依存データ等により構成される。
【００１９】
ＤＶＤレコーダ１０のマイクロコンピュータ１３は、携帯端末装置２０からコマンド応答が返ってきたかどうかをチェックしており（ＳＴ８）、携帯端末装置２０からコマンド応答が返ってきた場合には、該当する携帯端末装置２０の制御ＩＤの録画予約終了通知をクリアし（ＳＴ９）、次にチェックするＩＤをサーチする（ＳＴ１０）。
【００２０】
一方、携帯端末装置２０からのコマンド応答が無い場合、マイクロコンピュータ１３は、一定時間コマンド応答の有無をチェックし、コマンド応答が一定時間返ってこない場合には（ＳＴ１１）、周辺に該当の携帯端末装置２０が見つからないと判断し、次にチェックするＩＤをサーチする（ＳＴ１０）。
【００２１】
他のベンダＩＤで録画完了通知処理が必要なものがあれば、上記ステップ４（ＳＴ４）移行の処理が繰り返される。
携帯端末装置２０では上記の録画完了通知を受けて、図５に示すような録画完了通知のメッセージをディスプレイ２２に表示する。即ち、番組タイトル、録画日時、録画時間、ジャンル、番組内容などの情報を表示するとともに、当該番組の録画が完了した旨のメッセージを表示する。
【００２２】
携帯端末装置２０のマイクロコンピュータ２３は録画完了通知のメッセージとともに、頭出し再生Ｅと結果再生Ｆの２つのコマンドボタンを表示する。ユーザーが直ちに録画番組を再生したい場合には頭出し再生Ｅのボタンを選択することにより携帯端末装置２０からＤＶＤレコーダ１０に対して頭出し再生のコマンドが送信される。又、スポーツ番組等でその結果が知りたいときには結果再生Ｆのボタンを選択することにより携帯端末装置２０からＤＶＤレコーダ１０に対して番組終了時間近傍から再生するためのコマンドが送信される。
【００２３】
次に携帯端末装置２０から録画済番組の再生要求に対する処理を図６のフローチャートに基づき説明する。
上記ステップ６（ＳＴ６）にて携帯端末装置２０への通知処理が済んでいると判断された場合は、次に、ＤＶＤレコーダ１０のマイクロコンピュータ１３は携帯端末装置２０からの再生要求の有無をチェック（ＳＴ１２）する。
【００２４】
携帯端末装置２０から送信される再生要求コマンドは、図４の（Ｃ）に示すように、制御コマンド（再生要求）、レングス、ベンダＩＤ、ベンダ依存データ等により構成されている。
【００２５】
再生要求があった場合、ＤＶＤレコーダ１０のマイクロコンピュータ１３は再生要求コマンドのベンダ依存データに含まれる制御ＩＤと不揮発性メモリ１４の制御ＩＤ領域に記憶されている情報とを比較し、携帯端末装置２０の制御ＩＤがアクセス許可の対照であるかどうかをチェックする（ＳＴ１３）。
【００２６】
携帯端末装置２０の制御ＩＤがアクセス許可の対照であった場合には、再生要求コマンドにて指定された指定タイトルや指定時間が不揮発性メモリ１４の番組情報領域に存在しているかどうかをチェックする（ＳＴ１４）。
【００２７】
再生要求コマンドにて指定された番組が存在していれば、Ｂｌｕｅｔｏｏｔｈモジュール１５を制御して、再生応答コマンドを携帯端末装置２０に送信し（ＳＴ１５）、続いて、タイトルサーチ、タイムサーチ処理をおこなって再生に移行する（ＳＴ１６）。再生応答コマンドは図４の（Ｄ）に示すように、制御コマンド（再生応答）、レングス、ベンダＩＤ、ベンダ依存データ等により構成される。
【００２８】
その後、その他の処理をおこなう通常の処理に移行し（ＳＴ１７）、処理が終了したら上記ステップ４（ＳＴ４）のチェックルーチンに移行する。
以上説明した実施の形態では、ＤＶＤレコーダ１０にＢｌｕｅｔｏｏｔｈモジュール１５を搭載し、ＢｌｕｅｔｏｏｔｈのプロファイルＡＶＲＣＰを用いて、プロファイル内のベンダ依存領域に制御ＩＤ領域及び番組情報領域を設けて、各人が所有する携帯端末（携帯電話やパソコンなどＢｌｕｅｔｏｏｔｈモジュールを搭載）ごとに制御ＩＤを設定して相互制御する事で、制御ＩＤごとに録画予約を管理して録画が完了した時にＤＶＤレコーダから指定された制御ＩＤの携帯端末対しに、番組タイトル名、録画日時、録画時間、ジャンル、番組内容などの情報を転送する機能（録画完了番組通知機能）により、いつ何の番組を録画予約したのか把握する事ができるようになる。
【００２９】
また、携帯電話に転送されたタイトル、録画日時、録画時間、ジャンル、番組内容などの情報を元に指定ＤＶＤレコーダを制御して携帯端末から再生したい番組や再生したい番組の時間を簡単に指定できる機能（録画ずみ番組検索機能）により、スポーツの試合結果のみを知りたい、情報番組のランキング１位のみを知りたいなども簡単になり、複雑になっている操作を簡略化してユーザービリティを格段にアップする機能を実現する。
【００３０】
以上の様に、本発明によれば、することができる。
【図面の簡単な説明】
【００３１】
【図１】本発明の実施形態に係わる録画再生システムの構成を示すブロック図。
【図２】不揮発性メモリの記憶内容を説明するための図。
【図３】ＤＶＤレコーダの処理を説明するためのフローチャート。
【図４】ＤＶＤレコーダと携帯端末装置との間で授受されるコマンドの内容を示す図。
【図５】携帯端末装置における表示画面を示す図。
【図６】ＤＶＤレコーダ１０の処理を説明するためのフローチャート
【符号の説明】
【００３２】
１０……ＤＶＤレコーダ
１５，２４……Ｂｌｕｅｔｏｏｔｈモジュール
２０……携帯端末装置
【図１】
2006186719.tif 000003
【図２】
2006186719.tif 000004
【図３】
2006186719.tif 000005
【図４】
2006186719.tif 000006
【図５】
2006186719.tif 000007
【図６】
2006186719.tif 000008